(57)【要約】【課題】バイオマス由来の燃料ガスを高純度に精製し得る燃料ガス精製装置を提供する。また、該燃料ガス精製装置を有する発電システム、及び燃料合成システムを提供する。【解決手段】溶融炭酸塩４が貯留されたガス精製容器１１と、ガス精製容器１１から汲み上げるポンプ１４と、汲み上げた溶融炭酸塩４をガス精製容器１１の内部空間１７に噴霧するノズル１６とを備え、ガス精製容器１１は、溶融炭酸塩４中に熱分解ガスが導入され、溶融炭酸塩４を流通して内部空間１７に放出された熱分解ガスがノズル１６から噴霧された霧状炭酸塩１８と反応して燃料ガスに精製されるように構成されている。【選択図】図２
2010184973.tif 000002
【特許請求の範囲】
【請求項１】
可燃性ガスを燃料ガスに精製する燃料ガス精製装置であって、
溶融炭酸塩が貯留されたガス精製容器と、
前記ガス精製容器から汲み上げた溶融炭酸塩を前記ガス精製容器の内部空間に噴霧する噴霧手段とを備え、
前記ガス精製容器は、前記溶融炭酸塩中に可燃性ガスが導入され、前記溶融炭酸塩を流通して前記内部空間に放出された可燃性ガスが前記噴霧手段により噴霧された溶融炭酸塩と反応して燃料ガスに精製されるように構成されている
ことを特徴とする燃料ガス精製装置。
【請求項２】
請求項１に記載する燃料ガス精製装置において、
前記ガス精製容器には、前記燃料ガスに含まれる低融点の溶融塩を除去するミストトラップが設けられている
ことを特徴とする燃料ガス精製装置。
【請求項３】
請求項１又は請求項２に記載する燃料ガス精製装置において、
前記噴霧手段は、前記ガス精製容器から汲み上げた溶融炭酸塩を冷却固化して炭酸塩を形成し、該炭酸塩を粉砕して前記ガス精製容器の内部空間に供給するように構成されている
ことを特徴とする燃料ガス精製装置。
【請求項４】
請求項１〜請求項３の何れか一項に記載する燃料ガス精製装置において、
前記可燃性ガスは、バイオマスを熱分解することにより生じる熱分解ガスであり、
前記バイオマスの熱分解で生じた炭化物を燃焼する火炉を備え、
前記ガス精製容器の内部に貯留された前記溶融炭酸塩は、前記火炉で燃焼された前記炭化物の熱で溶融されている
ことを特徴とする燃料ガス精製装置。
【請求項５】
請求項４に記載する燃料ガス精製装置において、
前記ガス精製容器は前記火炉内に配設されている
ことを特徴とする燃料ガス精製装置。
【請求項６】
可燃性ガスを燃料ガスに精製する燃料ガス精製装置であって、
溶融炭酸塩が貯留されたガス精製容器と、
前記ガス精製容器の溶融炭酸塩とは別に外部から固体の炭酸塩又は溶融炭酸塩を前記ガス精製容器の内部空間に噴霧する噴霧手段とを備え、
前記ガス精製容器は、前記溶融炭酸塩中に可燃性ガスが導入され、前記溶融炭酸塩を流通して前記内部空間に放出された可燃性ガスが前記噴霧手段により噴霧された溶融炭酸塩と反応して燃料ガスに精製されるように構成されている
ことを特徴とする燃料ガス精製装置。
【請求項７】
請求項１〜請求項６の何れか一項に記載する燃料ガス精製装置と、
前記燃料ガス精製装置からの燃料ガスを用いて発電する発電手段とを具備する
ことを特徴とする発電システム。
【請求項８】
請求項７に記載する発電システムにおいて、
前記発電手段は、前記燃料ガス精製装置からの燃料ガスが送られる燃料極を備えた高温型の燃料電池を備える
ことを特徴とする発電システム。
【請求項９】
請求項７に記載する発電システムにおいて、
前記発電手段は、前記燃料ガス精製装置からの燃料ガスにより作動するガスエンジンと、該ガスエンジンの作動により発動する発電機とを備える
ことを特徴とする発電システム。
【請求項１０】
請求項７に記載する発電システムにおいて、
前記発電手段は、前記燃料ガス精製装置からの燃料ガスを燃焼するタービン燃焼器と、該タービン燃焼器からの燃焼ガスの膨張により動力を得ることで発電機の駆動を行うガスタービンとを備える
ことを特徴とする発電システム。
【請求項１１】
請求項１〜請求項６の何れか一項に記載する燃料ガス精製装置と、
前記燃料ガス精製装置からの燃料ガスから液体燃料を合成する液体燃料合成装置と、
前記液体燃料合成装置に供給される燃料ガスの水分の比率を調節し得るように前記ガス精製容器内に水を供給する水分供給手段とを具備する
ことを特徴とする燃料合成システム。
【発明の詳細な説明】
【技術分野】
【０００１】
本発明は、燃料ガス精製装置、発電システム及び燃料合成システムに関し、特に、可燃性ガスに含まれる未燃分、灰分、不純物等を除去、精製し、精製して得られた燃料ガスを利用する場合に適用して有用なものである。
【背景技術】
【０００２】
近年、バイオマスをエネルギーとして利用することが注目されている。バイオマスのエネルギーの利用方法としては、バイオマスを直接燃焼させて熱・電気エネルギーを得る方法、または熱分解によって燃料ガスを得る方法等が知られている。
【０００３】
図４は、従来技術に係るバイオマスから燃料ガスを精製する燃料ガス精製装置を備える発電システムの概略構成図である。
【０００４】
図示するように、炭化機１は、供給されたバイオマスを加熱して熱分解ガスと炭化物とを生成し、これらを火炉２内に供給する。火炉２は、下部のガス化・燃焼部と、上部のガス改質部とから構成されている。下部のガス化・燃焼部では、炭化機１から供給された炭化物が別途供給された空気又は酸素により部分燃焼されることにより高温ガスが発生し、該高温ガスは上部のガス改質部へと導かれる。上部のガス改質部では、炭化機１から供給された熱分解ガスが、高温ガスによる高温場で改質されて、灰分・不純物を含む粗ガスが製造される。そして、粗ガスは、燃料ガス精製装置１０により脱硫・脱塵され、一酸化炭素や水素を主成分とする燃料ガスが精製される。
【０００５】
このようにして製造された燃料ガスは、例えばガスタービンや燃料電池等から構成される発電手段２０に供給され、発電手段２０は、この燃料ガスを用いて発電する。他にも、燃料ガスは、合成液体燃料の原料としても用いられる。なお、発電手段２０で生じた廃熱は、炭化機１に送られてバイオマスを加熱する熱源として利用されている。
【０００６】
なお、上記従来技術と同種の技術を開示する刊行物として次の特許文献１が存在する。
【０００７】
ここで、従来の燃料ガス精製装置１０は、粗ガス中の灰分、タール、不純物を除去するために、脱塵装置、ＣＯＳ変換装置、脱硫装置、ガス冷却装置、ガス洗浄装置等から構成されている。このため、ガス精製を行うための設備構成が複雑化し、設備の運用性を高めることが困難で、コストが高くなっていた。
【０００８】
また、火炉２のガス化・燃焼部で炭化物を燃焼するために、空気や窒素を外部から火炉２に供給しているので、燃料ガス（粗ガス）がこれらの空気や窒素等で希釈され、燃料ガスの単位体積あたりのカロリーが低下してしまう。
【０００９】
このような問題は、バイオマス由来の熱分解ガスに限らず、可燃性ガスから不純物等を除去する場合についても同様に存在する。
【先行技術文献】
【特許文献】
【００１０】
【特許文献１】特開２００６−２０４２号公報
【発明の概要】
【発明が解決しようとする課題】
【００１１】
本発明は、かかる事情に鑑み、バイオマス由来の燃料ガスを高純度に精製し得る燃料ガス精製装置を提供することを目的とする。また、バイオマス由来の燃料ガスを高純度に精製し得る燃料ガス精製装置を有する発電システム、及び燃料合成システムを提供することを目的とする。
【課題を解決するための手段】
【００１２】
上記目的を達成するための本発明の第１の態様は、可燃性ガスを燃料ガスに精製する燃料ガス精製装置であって、溶融炭酸塩が貯留されたガス精製容器と、前記ガス精製容器から汲み上げた溶融炭酸塩を前記ガス精製容器の内部空間に噴霧する噴霧手段とを備え、前記ガス精製容器は、前記溶融炭酸塩中に可燃性ガスが導入され、前記溶融炭酸塩を流通して前記内部空間に放出された可燃性ガスが前記噴霧手段により噴霧された溶融炭酸塩と反応して燃料ガスに精製されるように構成されていることを特徴とする燃料ガス精製装置にある。
【００１３】
かかる第１の態様では、ガス精製容器内に貯留した溶融炭酸塩で可燃性ガスから不純物を取り除き、さらに、噴霧により内部空間に散布された溶融炭酸塩で不純物を取り除くので、可燃性ガスから燃料ガスを高純度に精製することができる。
【００１４】
本発明の第２の態様は、第１の態様に記載する燃料ガス精製装置において、前記ガス精製容器には、前記燃料ガスに含まれる低融点の溶融塩を除去するミストトラップが設けられていることを特徴とする燃料ガス精製装置にある。
【００１５】
かかる第２の態様では、燃料ガスから低融点の溶融塩が除去され、さらに高純度に精製された燃料ガスを得ることができる。
【００１６】
本発明の第３の態様は、第１又は第２の態様に記載する燃料ガス精製装置において、前記噴霧手段は、前記ガス精製容器から汲み上げた溶融炭酸塩を冷却固化して炭酸塩を形成し、該炭酸塩を粉砕して前記ガス精製容器の内部空間に供給するように構成されていることを特徴とする燃料ガス精製装置にある。
【００１７】
かかる第３の態様では、炭酸塩の融点は一般に高温であり、このような高温に耐えうる噴霧手段を用いることができない場合に有効である。
【００１８】
本発明の第４の態様は、第１〜第３の態様の何れか一つに記載する燃料ガス精製装置において、前記可燃性ガスは、バイオマスを熱分解することにより生じる熱分解ガスであり、前記バイオマスの熱分解で生じた炭化物を燃焼する火炉を備え、前記ガス精製容器の内部に貯留された前記溶融炭酸塩は、前記火炉で燃焼された前記炭化物の熱で溶融されていることを特徴とする燃料ガス精製装置にある。
【００１９】
かかる第４の態様は、ガス精製容器に貯留された炭酸塩は火炉の熱により溶融した状態が維持されるが、その熱源として火炉で燃焼した炭化物の熱を有効利用できる。
【００２０】
本発明の第５の態様は、第４の態様に記載する燃料ガス精製装置において、前記ガス精製容器は前記火炉内に配設されていることを特徴とする燃料ガス精製装置にある。
【００２１】
かかる第５の態様では、ガス精製容器は火炉内に配設されているので、火炉内で燃焼された炭化物の熱エネルギーが最も効率的にガス精製容器に与えられる。また、ガス精製容器が火炉内に配設されていることから、火炉外部にガス精製設備を設ける必要がないため、全体の省スペース化を図ることができる。
【００２２】
本発明の第６の態様は、可燃性ガスを燃料ガスに精製する燃料ガス精製装置であって、溶融炭酸塩が貯留されたガス精製容器と、前記ガス精製容器の溶融炭酸塩とは別に外部から固体の炭酸塩又は溶融炭酸塩を前記ガス精製容器の内部空間に噴霧する噴霧手段とを備え、前記ガス精製容器は、前記溶融炭酸塩中に可燃性ガスが導入され、前記溶融炭酸塩を流通して前記内部空間に放出された可燃性ガスが前記噴霧手段により噴霧された溶融炭酸塩と反応して燃料ガスに精製されるように構成されていることを特徴とする燃料ガス精製装置にある。
【００２３】
かかる第６の態様では、溶融炭酸塩をガス精製容器内に噴霧して可燃性ガスから不純物を取り除いて高純度の燃料ガスを精製することができる。
【００２４】
本発明の第７の態様は、第１〜第６の何れか一つの態様に記載する燃料ガス精製装置と、前記燃料ガス精製装置からの燃料ガスを用いて発電する発電手段とを具備することを特徴とする発電システムにある。
【００２５】
かかる第７の態様では、燃料ガス精製装置で精製された燃料ガスを用いて発電することができる。
【００２６】
本発明の第８の態様は、第７の態様に記載する発電システムにおいて、前記発電手段は、前記燃料ガス精製装置からの燃料ガスが送られる燃料極を備えた高温型の燃料電池を備えることを特徴とする発電システムにある。
【００２７】
かかる第８の態様では、高い運転温度を要する溶融炭酸塩形燃料電池や固体酸化物形燃料電池に燃料ガスを供給することができる。
【００２８】
本発明の第９の態様は、第７の態様に記載する発電システムにおいて、前記発電手段は、前記燃料ガス精製装置からの燃料ガスにより作動するガスエンジンと、該ガスエンジンの作動により発動する発電機とを備えることを特徴とする発電システムにある。
【００２９】
かかる第９の態様では、ガスエンジンを用いて発電することができる。
【００３０】
本発明の第１０の態様は、第７の態様に記載する発電システムにおいて、前記発電手段は、前記燃料ガス精製装置からの燃料ガスを燃焼するタービン燃焼器と、該タービン燃焼器からの燃焼ガスの膨張により動力を得ることで発電機の駆動を行うガスタービンとを備えることを特徴とする発電システムにある。
【００３１】
かかる第１０の態様では、ガスタービンを用いて発電することができる。
【００３２】
本発明の第１１の態様は、第１〜第６の何れか一つの態様に記載する燃料ガス精製装置と、前記燃料ガス精製装置からの燃料ガスから液体燃料を合成する液体燃料合成装置と、前記液体燃料合成装置に供給される燃料ガスの水分の比率を調節し得るように前記ガス精製容器内に水を供給する水分供給手段とを具備することを特徴とする燃料合成システムにある。
【００３３】
かかる第１１の態様では、水分供給手段を調節することで、燃料ガスの一酸化炭素と水素との比率を、合成する液体燃料に適した比率とすることができる。これにより、所望の液体燃料を製造し得る。
【発明の効果】
【００３４】
本発明によれば、可燃性ガスを高純度に精製し得る燃料ガス精製装置が提供される。更に、該燃料ガス精製装置を有する発電システム、及び燃料合成システムが提供される。
【図面の簡単な説明】
【００３５】
【図１】実施形態１に係る燃料ガス精製装置を備える発電システムの概略構成図である。
【図２】実施形態１に係る燃料ガス精製装置の概略構成図である。
【図３】実施形態２に係る燃料ガス精製装置を備える燃料合成システムの概略構成図である。
【図４】従来技術に係るバイオマスから燃料ガスを精製する燃料ガス精製装置を備える発電システムの概略構成図である。
【発明を実施するための形態】
【００３６】
〈実施形態１〉
以下、本発明を実施するための最良の形態について説明する。なお、本実施形態の説明は例示であり、本発明は以下の説明に限定されない。
【００３７】
図１は、実施形態１に係る燃料ガス精製装置を備える発電システムの概略構成図である。
【００３８】
図示するように、実施形態１に係る発電システムは、バイオマスを熱分解する炭化機１と、炭化物を燃焼する火炉２と、可燃性ガスの一例である熱分解ガスを精製する燃料ガス精製装置１０と、炭化機１から熱分解ガスを燃料ガス精製装置１０に導入する導入管５と、炭化機１から炭化物を火炉２に導入する炭化物導入管７と、燃料ガス精製装置１０で精製された燃料ガスを発電手段２０に供給する燃料ガス供給管６と、燃料ガスを燃料として発電する発電手段２０とを備えている。
【００３９】
炭化機１には、木質系バイオマス、都市ゴミ等の廃棄物系バイオマスおよびこれらの混合バイオマス等が供給される。炭化機１は、バイオマスを蒸し焼きして熱分解し、熱分解ガスと炭化物とを生成する。熱分解ガスは、バイオマス中の揮発分から構成され、主に一酸化炭素、水素、水、炭化水素、タール等からなる。一方、炭化物は、炭素、炭等のいわゆるチャーである。
【００４０】
火炉２は、内部が空洞になっており、下部のガス化・燃焼部２ａと、上部の容器配置部２ｂとから構成されている。ガス化・燃焼部２ａでは、炭化機１から炭化物導入管７を介して供給された炭化物が、ガス化・燃焼部２ａに別途導入された空気又は酸素により燃焼されることにより高温ガスが発生し、該高温ガスは上部の容器配置部２ｂへと導かれる。なお、燃焼した炭化物のうち比較的融点の低い灰分は、火炉２底部から溶融スラグとして排出される。
【００４１】
火炉２の容器配置部２ｂには、燃料ガス精製装置１０を構成するガス精製容器１１が配設されている。燃料ガス精製装置１０は、熱分解ガスを燃料ガスに精製するものである。すなわち、ガス精製容器１１は、炭化機１で生じた熱分解ガスが導入管５を介して供給され、この熱分解ガスを燃料ガスに精製して該燃料ガスを火炉２外部の発電手段２０に供給している。
【００４２】
発電手段２０は、例えば、燃料ガス供給管６からの燃料ガスが送られる燃料極を備えた溶融炭酸塩形燃料電池（ＭＣＦＣ）から構成されている。ＭＣＦＣは、一般に、燃料電池の中でも、高効率で、かつ一酸化炭素を燃料として利用可能なものである。
【００４３】
なお、発電手段２０としては、燃料ガス供給管６からの燃料ガスを用いて発電するものであれば特に限定されない。例えば、発電手段２０は、燃料ガス供給管６からの燃料ガスにより作動するガスエンジンと、該ガスエンジンの作動により発動する発電機とから構成されていてもよい。他にも、発電手段２０は、燃料ガス供給管６からの燃料ガスを燃焼するタービン燃焼器と、該タービン燃焼器からの燃焼ガスの膨張により動力を得ることで発電機の駆動を行うガスタービンとから構成されていてもよい。
【００４４】
また、発電手段２０と炭化機１とは、発電手段２０で生じた廃熱が、熱交換器（図示せず）等を介して、バイオマスを加熱する炭化機１の熱源となるように構成されている。これにより、発電システム全体のエネルギーの効率を改善できる。また、火炉２と炭化機１とは、火炉２で生じた廃熱が、熱交換器（図示せず）等を介して、バイオマスを加熱する炭化機１の熱源となるように構成されている。これにより、更に発電システム全体のエネルギー効率を改善できる。
【００４５】
ここで、本実施形態に係る燃料ガス精製装置１０について詳細に説明する。図２は、実施形態１に係る燃料ガス精製装置の概略構成図である。
【００４６】
図示するように、燃料ガス精製装置１０は、溶融炭酸塩４が貯留されたガス精製容器１１と、この溶融炭酸塩４を汲み上げてガス精製容器１１の内部空間１７に噴霧する噴霧手段１２とを備えている。
【００４７】
ガス精製容器１１は、その内部に溶融炭酸塩４を貯留している。ガス精製容器１１が火炉２内に配設されているので、その火炉２で燃焼された炭化物の熱により、溶融炭酸塩４は溶融した状態が維持されている。また、ガス精製容器１１には、溶融炭酸塩４に熱分解ガスが導入されるように導入管５が配設され、ガス精製容器１１の上部には、燃料ガス供給管６が配設されている。このため、熱分解ガスは、溶融炭酸塩４を流通した後、内部空間１７を経由して燃料ガス供給管６に至るようになっている。
【００４８】
噴霧手段１２は、ガス精製容器１１の溶融炭酸塩４をポンプ１４に導く流路となる送液管１３と、溶融炭酸塩４をガス精製容器１１から汲み上げノズル１６へ圧送するポンプ１４と、ポンプ１４からの溶融炭酸塩４をノズル１６に導く流路となる圧送管１５と、内部空間１７に溶融炭酸塩４を噴霧するノズル１６とから構成されている。
【００４９】
噴霧手段１２により、ガス精製容器１１に貯留された溶融炭酸塩４は、ノズル１６に圧送されて内部空間１７に噴霧される。以降、ノズル１６から噴霧され、内部空間１７にある溶融炭酸塩４を霧状炭酸塩１８と称する。
【００５０】
なお、噴霧手段１２は、溶融炭酸塩４を一度固化して粉砕し、粒子状の炭酸塩を内部空間１７に供給するものであってもよい。炭酸塩の融点は一般に高温であり、このような高温に耐えうるポンプを用いることができない場合に有効である。
【００５１】
このようなガス精製容器１１に、導入管５を介して熱分解ガスが導入されると、熱分解ガスは、ガス精製容器１１中の溶融炭酸塩４を流通し、内部空間１７において霧状炭酸塩１８に接触する。このとき、熱分解ガスは溶融炭酸塩４及び霧状炭酸塩１８との反応により、次に詳言するように、不純物が取り除かれる。
【００５２】
熱分解ガス中における代表的な不純物元素としては、硫黄（Ｓ）分、ハロゲン（Ｆ、Ｃｌ）分、窒素（Ｎ）が挙げられ、これらの元素から高温の還元雰囲気では、硫化水素（Ｈ２Ｓ）、塩化水素（ＨＣｌ）、フッ化水素（ＨＦ）、アンモニア（ＮＨ３）等の代表的な不純物ガスが発生する。
【００５３】
溶融炭酸塩４（ここではアルカリ金属炭酸塩、Ｍ２ＣＯ３、Ｍ＝Ｌｉ、Ｎａ、Ｋ）を用いた上記不純物の除去メカニズムを以下に説明する。
【００５４】
還元雰囲気下で生じたＨ２Ｓは、Ｓ２−として溶融炭酸塩４に取り込まれ、硫化アルカリ金属（Ｍ２Ｓ）として、ＨＣｌ、ＨＦは、Ｃｌ−、Ｆ−として溶融炭酸塩４に取り込まれ、塩素分は塩化アルカリ金属（ＭＣｌ）として、フッ素分はフッ化アルカリ金属（ＭＦ）として捕捉される。この結果、炭化機１で生じた熱分解ガスは溶融炭酸塩４により精製され、一酸化炭素や水素を主成分とする燃料ガスになる。
【００５５】
本発明の溶融炭酸塩４としては、炭酸リチウム（Ｌｉ２ＣＯ３）、炭酸ナトリウム（Ｎａ２ＣＯ３）、炭酸カリウム（Ｋ２ＣＯ３）等の各種アルカリ金属炭酸塩を、単独又は複数混合したものを用いることができる。また、上記アルカリ金属炭酸塩の他に、マグネシウム（Ｍｇ）、カルシウム（Ｃａ）、ストロンチウム（Ｓｒ）、バリウム（Ｂａ）、セリウム（Ｃｅ）等の炭酸塩を溶融炭酸塩として用いることも可能である。
【００５６】
なお、溶融炭酸塩４には、触媒が含まれていてもよい。触媒により熱分解ガスと溶融炭酸塩４との化学反応が促進され、熱分解ガスをより早く精製することができる。この触媒としては、金属、合金、金属酸化物、又はニッケルセラミックスを用いることができる。金属の例としては、ニッケル（Ｎｉ）、銅（Ｃｕ）、鉄（Ｆｅ）、バナジウム（Ｖ）、タングステン（Ｗ）、チタン（Ｔｉ）、コバルト（Ｃｏ）、錫（Ｓｎ）、マグネシウム（Ｍｇ）、ルテニウム（Ｒｕ）、パラジウム（Ｐｄ）、亜鉛（Ｚｎ）を挙げることができる。合金は、これらの金属の２種以上からなり、金属酸化物は、これらの金属がそれぞれ酸化したもの若しくはこれらの金属の２種以上が酸化したものである複合酸化物である。触媒は、粉体として溶融炭酸塩４に含まれていることが好ましい。
【００５７】
さらに、溶融炭酸塩４を流通して内部空間１７に放出された熱分解ガスは、霧状炭酸塩１８と接触し、上述した除去メカニズムと同様に、さらに不純物が取り除かれる。
【００５８】
以上に説明したように、本発明にかかる燃料ガス精製装置１０では、ガス精製容器１１内に貯留した溶融炭酸塩４で熱分解ガスから不純物を取り除き、さらに、内部空間１７においても霧状炭酸塩１８で不純物を取り除くので、熱分解ガスから高純度に精製された燃料ガスを得ることができる。特に、霧状炭酸塩１８は噴霧により微粒子として内部空間１７にあるので、霧状炭酸塩１８が熱分解ガスと接触する表面積は増大している。このため、霧状炭酸塩１８と熱分解ガスとの反応をより効率よく行わせることが可能となっている。また、霧状炭酸塩１８は、もともとガス精製容器１１に貯留されていたものであるので、外部から新たな溶融炭酸塩を内部空間１７に噴霧する必要が無く、ランニングコストを低減し得る。
【００５９】
なお、炭化機１から導入される熱分解ガスに含まれる未燃分や灰分４０は、溶融炭酸塩４が液体であるため、ガス精製容器１１内で集塵可能である。更に熱分解ガスに含まれるタールも同様に、溶融炭酸塩４と反応し、分解される。このタールや灰分４０等は、ガス精製容器１１の下部に設けられた排出管４１を介して外部に排出される。
【００６０】
また、ガス精製容器１１には、ミストトラップ１９が設けられている。ミストトラップ１９は、ノズル１６と燃料ガス供給管６との間に配設されており、内部空間１７を流通して精製された燃料ガスに含まれる低融点の溶融塩を捕捉する。このような溶融塩としては、水酸化ナトリウム、塩化ナトリウム、及び塩化カリウム等が挙げられる。ミストトラップ１９により、燃料ガスからこれらの溶融塩が除去され、さらに高純度に精製された燃料ガスが得られる。
【００６１】
なお、特に図示しないが、燃料ガス精製装置１０に、溶融炭酸塩４に水酸化ナトリウム（水酸化物）を供給する水酸化ナトリウム供給手段（水酸化物供給手段）を設けてもよい。溶融炭酸塩４に水酸化ナトリウムが供給されると、溶融炭酸塩４中の二酸化炭素が水酸化ナトリウムと反応して、炭酸ナトリウム（炭酸塩）が生成される。
【００６２】
ちなみに、水酸化ナトリウムを供給することなく溶融炭酸塩４と熱分解ガスとの反応を続けると、ガス精製容器１１では、硫黄アルカリ金属等が蓄積され、溶融炭酸塩４が減少するので、ガス精製容器１１の溶融炭酸塩４を適宜取替える必要がある。例えば、ガス精製容器１１内部と外部とを接続する排出管（図示せず）を介して、ガス精製容器１１内の溶融炭酸塩４や硫黄アルカリ金属等を外部へ排出すると共に、新たな炭酸塩をガス精製容器１１に供給する必要がある。しかしながら、本発明の燃料ガス精製装置では、水酸化ナトリウムを溶融炭酸塩４に適宜供給することで、溶融炭酸塩４で燃料ガスを精製しつつ、ガス精製容器１１に炭酸塩を供給したのと同様の効果を得られる。さらに、溶融炭酸塩４又は燃料ガス（熱分解ガス）に含まれる二酸化炭素は水酸化ナトリウムに吸収されて炭酸ナトリウムとなるので、二酸化炭素の排出量を低減することができる。
【００６３】
また、ガス精製容器１１の溶融炭酸塩４を取替える際には、上記のように溶融炭酸塩４に水酸化物を供給して間接的に炭酸塩を供給する場合に限定されず、直接炭酸塩をガス精製容器１１内に供給して溶融炭酸塩４としてもよい。なお、ここでいう炭酸塩は、水分や重曹を含んでいてもよい。
【００６４】
また、水酸化物供給手段としては、水酸化ナトリウムを供給するものに限られず、水酸化リチウム、水酸化マグネシウム、水酸化カリウム、水酸化カルシウム、水酸化ストロンチウム、水酸化バリウム、又は水酸化セリウムを供給するものであってもよい。要するに、水酸化物供給手段は、溶融炭酸塩４中の二酸化炭素と反応して炭酸塩を生成しうる水酸化物をガス精製容器１１内の溶融炭酸塩４に供給するように構成されていればよい。
【００６５】
以上に説明した構成の燃料ガス精製装置１０を備える発電システムでは、炭化機１によってバイオマスから熱分解ガスと炭化物とが生成され、炭化物は燃料ガス精製装置１０内の炭酸塩を溶融させるため、又は溶融炭酸塩４が溶融した状態を維持するために燃焼される。一方、熱分解ガスは溶融炭酸塩４で不純物が除去され、さらに、内部空間１７において霧状炭酸塩１８により不純物が除去され燃料ガスとなり、発電手段２０はこの高純度に精製された燃料ガスを用いて発電を行うことができる。
【００６６】
また、火炉２内に配設されたガス精製容器１１内で、熱分解ガスの精製が行われるので、燃料ガスを精製する装置を火炉２外部に設ける必要がない。これにより、発電システムの省スペース化を図ることができる。また、従来技術のガス精製装置の如く複雑な構成の装置が不要となるため、設備の運用性を高めることができ、更に、このような装置が不要となる分、発電システムに係るコストを削減できる。
【００６７】
なお、本実施形態では、ガス精製容器１１は火炉２内に配設されていたが、必ずしも火炉２内に配設する必要はない。例えば、ガス精製容器１１の全体又は一部を火炉２外部に配設し、火炉２で燃焼された炭化物の熱エネルギーを、熱交換器等を介して火炉２外部に配設されたガス精製容器１１に供給してもよい。この場合でも、高カロリーの燃料ガスが精製され、この燃料ガスを用いて発電できる。
【００６８】
更に、火炉２内部の空間とは隔てられたガス精製容器１１内部で熱分解ガスが燃料ガスに精製されるため、燃料ガスは、炭化物の燃焼に用いられる空気や窒素などにより希釈されることはない。また前記したように、燃料ガスは不純物が取り除かれている。これらのことから、単位体積あたりのカロリーが従来よりも高い燃料ガスを燃料ガス供給管６から供給することができる。このように、本発明の燃料ガス精製装置１０は、高カロリーの燃料ガスを精製するので、特に、高温型の燃料電池、例えば溶融炭酸塩形燃料電池（ＭＣＦＣ）や固体酸化物形燃料電池（ＳＯＦＣ）を発電手段として用いる発電システムに適用して有用である。
【００６９】
〈実施形態２〉
実施形態１では、燃料ガス精製装置１０により製造された燃料ガスを発電手段２０に供給するよう構成した発電システムについて説明したが、本実施形態では、燃料ガスを原料として液体燃料を合成する燃料合成システムについて説明する。
【００７０】
図３は、実施形態２に係る燃料ガス精製装置を備える燃料合成システムの概略構成図である。なお、実施形態１と同一のものには同一の符号を付し、重複する説明は省略する。
【００７１】
本実施形態と実施形態１との相違点は、燃料ガス供給管６から供給される燃料ガスを原料として液体燃料を合成する液体燃料合成装置３０と、炭化機１に水分を供給する水分供給手段３１とを具備する点にある。
【００７２】
液体燃料合成装置３０は、燃料ガスからメタノール、ジメチルエーテル、ガソリン、灯油、軽油等の炭化水素液体燃料を合成する装置である。この液体燃料は、一般に、水素と一酸化炭素を主成分とするガスを反応に適した温度、圧力とし、触媒の存在下で合成反応させることにより得られることが知られている。
【００７３】
水分供給手段３１は、炭化機１内部に水分を供給するように構成されている。炭化機１内部に水分を供給する量を調節することで、燃料ガス供給管６から液体燃料合成装置３０に供給される燃料ガスの水分の比率を調節することが可能となっている。このようにして本実施形態の燃料合成システムで製造された燃料ガスは、燃料ガスを構成する一酸化炭素と水素との比率が所望の比率に設定されたものとなっている。
【００７４】
どの種別の液体燃料を合成するかは、原料となる一酸化炭素と水素との比率により決まる。したがって、特定の液体燃料を合成する場合は、燃料ガスの一酸化炭素と水素との比率が、当該液体燃料に適した比率となるように、水分供給手段３１を調節すればよい。このように、本実施形態の燃料合成システムは、所望する種別の液体燃料を製造し得る柔軟性を有している。
【００７５】
なお、水分供給手段３１は、炭化機１内部に水分を供給する場合に限定されず、例えばガス精製容器１１内でもよいし、導入管５や燃料ガス供給管６に対して水分を供給してもよい。要するに、水分供給手段３１は、液体燃料合成装置３０に燃料ガスが供給される前に、燃料ガス（熱分解ガス）に水分を添加できる構成であればよい。
【００７６】
また、火炉２と炭化機１とは、火炉２で生じた廃熱が、熱交換器（図示せず）等を介して、バイオマスを加熱する炭化機１の熱源となるように構成されている。これにより、更に燃料合成システム全体のエネルギー効率を改善できる。
【００７７】
〈他の実施形態〉
実施形態１及び実施形態２では、霧状炭酸塩１８の噴霧に際し、ガス精製容器１１に貯留されていた溶融炭酸塩４を使用していたが、このような態様に限定されず、外部からの炭酸塩を別途に使用してもよい。例えば、溶融炭酸塩を貯留する炭酸塩容器を設け、この炭酸塩容器からノズル１６を介して内部空間１７に噴霧するようにしてもよい。また、固体の炭酸塩を貯蔵する炭酸塩容器と、該炭酸塩を粉体に粉砕する粉砕器を設け、この粉体状の炭酸塩を内部空間１７に散布してもよい。この場合であっても、可燃性ガスから霧状炭酸塩１８で不純物を除去することができる。
【００７８】
また、実施形態１及び実施形態２では、バイオマス由来の熱分解ガスをガス精製の対象としたが、これに限定されず、本発明は、可燃成分を含む可燃性ガス全般に広く適用できる。このような可燃性ガスとしては、石炭がガス火炉でガス化されて生じる石炭ガス化ガスや、汚泥が微生物により分解されて生じる消化ガスや、ＬＮＧやＬＰＧが気化して生じるボイルオフガスや、石油の精製時に副生されるオフガスなどが挙げられる。
【産業上の利用可能性】
【００７９】
バイオマスをガス化して燃料や液体燃料の原料として用いる設備を使用、製造、販売する産業分野で有効に利用し得る。
【符号の説明】
【００８０】
１            炭化機
２            火炉
２ａ          ガス化・燃焼部
２ｂ          容器配置部
４            溶融炭酸塩（炭酸塩）
５            導入管
６            燃料ガス供給管
７            炭化物導入管
１０          燃料ガス精製装置
１１          ガス精製容器
１２          噴霧手段
１３          送液管
１４          ポンプ
１５          圧送管
１６          ノズル
１７          内部空間
１８          霧状炭酸塩
１９          ミストトラップ
２０          発電手段
３０          液体燃料合成装置
３１          水分供給手段
４０          灰分
４１          排出管
【図１】
2010184973.tif 000003
【図２】
2010184973.tif 000004
【図３】
2010184973.tif 000005
【図４】
2010184973.tif 000006